(57)【要約】  本発明は、表示装置の向きを変更して使用した場合に、光学シートの破損及び脱落を防止することができる表示装置を提供することを目的とする。本発明の表示装置は、パネルシャーシ（５）のフレームの内周面に、光学シート（７）を支持するシート支持部（５０）が内向きに突設されている。シート支持部（５０）の一の短辺（５０ａ）は、該一の短辺（５０ａ）の対辺である他の短辺（５０ｂ）よりも厚肉であり、液晶パネル（２）及び導光板（３１）の対向方向における寸法が長い。よって、一の短辺（５０ａ）は、他の短辺（５０ｂ）よりも液晶パネル（２）の近くに位置し、光学シート（７）の一の短辺（５０ａ）に対応する部分は、液晶パネル（２）及び一の短辺（５０ａ）により挟持されている。
2016059721.tif 000002
【特許請求の範囲】
【請求項１】
一面に画像を表示する表示パネルと、該表示パネルの他面に対向配置された導光板と、前記表示パネル及び導光板の間に配された光学シートと、前記導光板及び光学シートの間に配され、前記光学シートの周縁の一部分を支持するシート支持部とを備える表示装置において、  前記光学シートは、前記周縁の他部分が前記表示パネル及びシート支持部に挟持されていること  を特徴とする表示装置。
【請求項２】
前記シート支持部は、四角形枠状をなし、一辺の前記表示パネル及び導光板の対向方向の寸法が対辺の前記対向方向の寸法より長く、  前記光学シートの前記周縁の内、  前記シート支持部の前記一辺に交差する交差辺に対応する部分は、前記交差辺にて支持されており、  前記シート支持部の前記一辺に対応する部分は、前記表示パネル及び一辺に挟持されていること  を特徴とする請求項１に記載の表示装置。
【請求項３】
前記シート支持部は、四角形枠状をなし、一辺の長手方向の中央部にて前記光学シート側に突出する凸部を有し、  前記光学シートの前記周縁の内、  前記シート支持部の前記一辺に交差する交差辺に対応する部分は、前記交差辺にて支持されており、  前記シート支持部の前記一辺に対応する部分は、前記表示パネル及び凸部に挟持されていること  を特徴とする請求項１に記載の表示装置。
【請求項４】
枠状をなし、前記表示パネルを支持するパネル支持部を有し、  前記シート支持部は、前記パネル支持部の内周面に突設されていること  を特徴とする請求項１から３までの何れか一つに記載の表示装置。
【発明の詳細な説明】
【技術分野】
【０００１】  本発明は、光源からの光を導光板を介して表示パネルに照射し、画像を表示する表示装置に関する。
【背景技術】
【０００２】  矩形の液晶パネルを画像表示部として備える表示装置は、液晶パネルの背面側にバックライトを配し、該バックライトからの照射光を液晶パネルにより変調して透過させ、液晶パネルの正面に画像を表示するように構成されている。バックライトは、直下型とエッジライト型とに大別されるが、近年においては、消費電力の低減及び薄型化の観点からエッジライト型のバックライトが広く採用されている。【０００３】  エッジライト型のバックライトは、浅底箱型をなすバックライトシャーシ内に収容された導光板及び光源とを備える。導光板は、ガラス又は透光性を有する樹脂材料製の矩形の平板であり、バックライトシャーシの底板上に載置されている。光源は、バックライトシャーシの一側壁に取り付けられ、導光板の一側面に対向させてある。該光源から照射された光は、導光板の一側面に入射し、該導光板内を進行して、バックライトシャーシの開口側に露出する導光板の一広面全体に分布して出射される。【０００４】  導光板は、一広面を液晶パネルの背面に対向させてあり、導光板及び液晶パネルの対向面間には矩形の光学シートが配されている。光学シートは、光の拡散、集束作用をなす光学要素であり、導光板からの出射光は、光学シートを経て液晶パネルに照射される。【０００５】  光学シートは、光源の熱により伸縮するため、周縁の長手方向に沿った一部分を支持し、伸縮可能としている。光学シートは、例えば、周縁の前記一部分に設けられた孔に支持ピンが挿入されることにより支持されている。支持ピンは、光学シートを支持する支持部又は導光板等に設けられている（例えば、特許文献１参照）。表示装置は、支持ピンが表示装置の使用時に上側に位置するように構成されている。これにより、光学シートを吊り下げ、自重で垂下するようにしてある。
【先行技術文献】
【特許文献】
【０００６】
【特許文献１】国際公開第２０１１／０９３１１９号パンフレット
【発明の概要】
【発明が解決しようとする課題】
【０００７】  表示装置は、支持ピンが上側に位置するように使用するのが通常であるが、表示装置の向きを変更して使用する場合がある。しかしながら、上記の構成では、表示装置の向きを変更した場合に、支持ピンが上側に位置しないこととなり、光学シートの吊り下げ構造のバランスが悪くなる。これにより、支持ピンが挿入された孔に応力が集中し、光学シートが破損しやすくなる。更に、支持ピンが孔から抜けやすく、光学シートの脱落を招来する虞がある。【０００８】  本発明は、斯かる事情に鑑みてなされたものであり、その目的とするところは、表示装置の向きを変更して使用した場合に、光学シートの破損及び脱落を防止することができる表示装置を提供することにある。
【課題を解決するための手段】
【０００９】  本発明に係る表示装置は、一面に画像を表示する表示パネルと、該表示パネルの他面に対向配置された導光板と、前記表示パネル及び導光板の間に配された光学シートと、前記導光板及び光学シートの間に配され、前記光学シートの周縁の一部分を支持するシート支持部とを備える表示装置において、前記光学シートは、前記周縁の他部分が前記表示パネル及びシート支持部に挟持されていることを特徴とする。【００１０】  本発明によれば、光学シートの周縁の他部分が表示パネル及びシート支持部に挟持されているので、光学シートの周縁の一部分における支持による負担が軽減される。これにより、光学シートの支持における負荷の集中による光学シートの破損が防止できる。【００１１】  本発明に係る表示装置は、前記シート支持部は、四角形枠状をなし、一辺の前記表示パネル及び導光板の対向方向の寸法が対辺の前記対向方向の寸法より長く、前記光学シートの前記周縁の内、前記シート支持部の前記一辺に交差する交差辺に対応する部分は、前記交差辺にて支持されており、前記シート支持部の前記一辺に対応する部分は、前記表示パネル及び一辺に挟持されていることを特徴とする。【００１２】  本発明によれば、シート支持部の一辺が上側に位置するように表示装置が載置された場合、光学シートを該一辺及び液晶パネルで挟持し、光学シートを交差辺で支持している。したがって、表示装置の向きを変更して使用した場合に、光学シートの脱落が防止できる。【００１３】  本発明に係る表示装置は、前記シート支持部は、四角形枠状をなし、一辺の長手方向の中央部にて前記光学シート側に突出する凸部を有し、前記光学シートの前記周縁の内、前記シート支持部の前記一辺に交差する交差辺に対応する部分は、前記交差辺にて支持されており、前記シート支持部の前記一辺に対応する部分は、前記表示パネル及び凸部に挟持されていることを特徴とする。【００１４】  本発明によれば、シート支持部の一辺が上側に位置するように表示装置が載置された場合、光学シートを該一辺の凸部及び液晶パネルで挟持し、光学シートを交差辺で支持している。したがって、表示装置の向きを変更して使用した場合に、光学シートの脱落が防止できる。【００１５】  更に、光学シートは、シート支持部の一辺の中央に位置する凸部に対応する部分のみ挟持されているので、光学シートのシート支持部の一辺に対応する部分の膨張を許容することができる。【００１６】  本発明に係る表示装置は、枠状をなし、前記表示パネルを支持するパネル支持部を有し、前記シート支持部は、前記パネル支持部の内周面に突設されていることを特徴とする。【００１７】  本発明によれば、シート支持部及びパネル支持部が一体として形成されているので、部品点数を削減することができる。
【発明の効果】
【００１８】  本発明によれば、光学シートを液晶パネル及びシート支持部により挟持するので、表示装置の向きを変更して使用した場合に、光学シートの破損及び脱落を防止することができる。
【図面の簡単な説明】
【００１９】
【図１】実施の形態１に係る表示装置の縦断面図である。
【図２】図１中のＩＩ−ＩＩ線による断面図である。
【図３】実施の形態１に係るパネルシャーシ及び光学シートの外観斜視図である。
【図４】実施の形態２に係るパネルシャーシの外観斜視図である。
【発明を実施するための形態】
【００２０】  以下、本発明に係る表示装置についてその実施の形態を示す図面に基づいて詳述する。（実施の形態１）  図１は、実施の形態１に係る表示装置の縦断面図であり、図２は、図１中のＩＩ−ＩＩ線による断面図である。表示装置１は、正面に画像を表示する液晶パネル２と、該液晶パネル２の背面側に位置するバックライト３とを備える。
【００２１】  バックライト３は、バックライトシャーシ３０と、導光板３１と、光源３２とを備える。バックライトシャーシ３０は、矩形の底板と、該底板の四辺から垂直に立ち上がる側板とを有し、一面が開口した浅底箱型をなす。
【００２２】  導光板３１は、ガラス又は透光性を有する樹脂材料製の矩形の平板であり、反射シート４を介してバックライトシャーシ３０の底板上に載置されている。導光板３１は、一広面がバックライトシャーシ３０の開口側に露出し、他広面が反射シート４に当接している。光源３２は、ＬＥＤであり、バックライトシャーシ３０の側板に取り付けられた基板３３に固定され、導光板３１の一側面に対向している。
【００２３】  表示装置１は、パネルシャーシ５と、ベゼル６と光学シート７とを更に備える。パネルシャーシ５は、矩形枠形のフレームと、該フレームの外周縁から垂直に立ち上がる側板とを有する。
【００２４】  パネルシャーシ５は、側板をバックライトシャーシ３０の側板の外側に被せてあり、フレームの一面とバックライトシャーシ３０の底板とにより導光板３１を挟持している。また、パネルシャーシ５のフレームの他面には、その周縁を背面側から支持された液晶パネル２が配されている。
【００２５】  ベゼル６は、矩形枠形のフレームと、該フレームの外周縁から垂直に立ち上がる側板とを有する。ベゼル６は、側板をパネルシャーシ５の側板の外側に被せてあり、フレームの一面とパネルシャーシ５のフレームの他面とにより該液晶パネル２の周縁を挟持している。
【００２６】  パネルシャーシ５のフレームの内周面には、シート支持部５０が内向きに突設されている。シート支持部５０は、パネルシャーシ５と一体に形成されているので、表示装置の部品点数を削減することができる。
【００２７】  シート支持部５０は、パネルシャーシ５のフレームより薄肉であり、液晶パネル２の背面に隙間を隔てて対向する。光学シート７は、矩形であり、シート支持部５０により後述の如く周縁が支持され、液晶パネル２との隙間に介装されている。光学シート７は、光を拡散し、集束させる。
【００２８】  以上の如く構成された表示装置において、光源３２から照射された光は、導光板３１の一側面から入射し、導光板３１内部を進行し、一広面全体に分布して出射する。導光板３１から出射した光は、光学シート７によって拡散及び集束され、液晶パネル２に入射する。液晶パネル２は、入射光を変調して透過し、正面に画像を表示する。
【００２９】  図３は、実施の形態１に係るパネルシャーシ５及び光学シート７の外観斜視図である。パネルシャーシ５のフレームから突設されたシート支持部５０は、二つの長辺及び二つの短辺からなる。一の長辺５０ｃには、七本の支持ピン５０ｄが設けられている。
【００３０】  光学シート７は、シート支持部５０の長辺５０ｃに対応する周縁部分に長手方向に沿って七個の孔７ａが設けられている。中央の孔７ａは、支持ピン５０ｄと同径の円孔、両側の孔７ａは、支持ピン５０ｄと同径の短径を有し、光学シート７の長手方向に延びる長孔としてある。光学シート７は、孔７ａの夫々に長辺５０ｃに設けた支持ピン５０ｄが挿入されることによりシート支持部５０に支持されている。
【００３１】  また、図２に示すように、シート支持部５０の一の短辺５０ａは、該一の短辺５０ａの対辺である他の短辺５０ｂよりも厚肉であり、液晶パネル２及び導光板３１の対向方向における寸法が長い。よって、一の短辺５０ａは、他の短辺５０ｂよりも液晶パネル２の近くに位置し、光学シート７の一の短辺５０ａに対応する部分は、液晶パネル２及び一の短辺５０ａにより挟持されている。
【００３２】  実施の形態１の表示装置１は、シート支持部５０の長辺５０ｃを上として使用でき、また、一の短辺５０ａを上として使用することができる。
【００３３】  シート支持部５０の長辺５０ｃを上として使用した場合、光学シート７は、長辺５０ｃに設けた七本の支持ピン５０ｄから自重により垂下し、たるみ、皺を有しない状態で使用される。したがって、光学シート７は、導光板３１の出射光を良好に拡散、集束して液晶パネル２に出射することができ、液晶パネル２は安定した画像表示を行うことができる。
【００３４】  また、光学シート７は、主として、光源３２の発光に伴う発熱の作用により熱膨張するが、短手方向の熱膨張は、七本の支持ピン５０ｄにより支持された上縁から下方に伸びることで許容される。
【００３５】  また、長手方向の熱膨張は、円孔として構成された中央の孔７ａの両側で、長孔として構成された孔７ａと夫々に挿入される支持ピン５０ｄとが相対移動することにより、各孔７ａの長さ範囲内で許容される。したがって光学シート７は、熱膨張の影響を受けずに良好な支持状態を保つことができる。
【００３６】  一方、一の短辺５０ａを上として使用した場合において光学シート７は、シート支持部５０の一の短辺５０ａと液晶パネル２とによる挟持部分から垂下し、中央の孔７ａに挿入する支持ピン５０ｄにより上下方向の移動を規制されて、たるみ、皺を有しない状態で支持される。
【００３７】  したがって、光学シート７は、長辺５０ｃを上として使用した場合と同様に、導光板３１の出射光を良好に拡散、集束して液晶パネル２に出射させ、該液晶パネル２に安定した画像表示を行わせることができる。
【００３８】  また、一の短辺５０ａを上として使用した場合、光学シート７の支持負荷は、一の短辺５０ａによる挟持部分と支持ピン５０ｄによる支持部分とに分散するから、支持ピン５０ｄに挿入する孔７ａの周辺が支持負荷の集中により破損する虞を緩和することができる。また、支持ピン５０ｄからの抜け落ちによる光学シート７の脱落を防止し、安定した支持状態を保つことが可能である。
【００３９】（実施の形態２）  図４は、実施の形態２に係るパネルシャーシ５の外観斜視図である。パネルシャーシ５は、実施の形態１と同様に矩形枠形のフレームと、該フレームの外周縁から垂直に立ち上がる側板とを有し、パネルシャーシ５のフレームの内周面には、光学シート７を支持するシート支持部５１が内向きに突設されている。シート支持部５１は、パネルシャーシ５と一体に形成されているので、表示装置の部品点数を削減することができる。
【００４０】  シート支持部５１は、二つの長辺及び二つの短辺からなる。シート支持部５１の長辺５１ｂにフレーム側に突出する七本の支持ピン５１ｃが設けられている。光学シート７は、実施の形態１と同様に孔７ａに長辺５１ｂの支持ピン５１ｃが挿入されることによりシート支持部５１に支持される。
【００４１】  一方、短辺５１ａには、長手方向の中央にて、フレーム側に突出する凸部５２が設けられている。凸部５２は、短辺５１ａ以外の辺と比較して液晶パネル２の近くに位置し、光学シート７の凸部５２に対応する部分は、実施の形態１と同様に液晶パネル２及び凸部５２により挟持される。
【００４２】  実施の形態２に係るパネルシャーシ５を用いれば、表示装置１は、シート支持部５０の長辺５１ｂを上として使用でき、また、一の短辺５１ａを上として使用することができる。
【００４３】  シート支持部５１の長辺５１ｂを上として使用した場合、光学シート７は、長辺５１ｂに設けた七本の支持ピン５１ｃから自重により垂下し、たるみ、皺を有しない状態で使用される。したがって、光学シート７は、導光板３１の出射光を良好に拡散、集束して液晶パネル２に出射することができ、液晶パネル２は安定した画像表示を行うことができる。
【００４４】  また、光学シート７は、主として、光源３２の発光に伴う発熱の作用により熱膨張するが、短手方向の熱膨張は、七本の支持ピン５１ｃにより支持された上縁から下方に伸びることで許容される。
【００４５】  また、長手方向の熱膨張は、円孔として構成された中央の孔７ａの両側で、長孔として構成された孔７ａと夫々に挿入する支持ピン５１ｃとが相対移動することにより、各孔７ａの長さ範囲内で許容される。したがって光学シート７は、熱膨張の影響を受けずに良好な支持状態を保つことができる。
【００４６】  一方、一の短辺５１ａを上として使用した場合において光学シート７は、シート支持部５１の凸部５２と液晶パネル２とによる挟持部分から垂下し、中央の孔７ａに挿入する支持ピン５１ｃにより上下方向の移動を規制されて、たるみ、皺を有しない状態で支持される。
【００４７】  したがって、光学シート７は、長辺５１ｂを上として使用した場合と同様に、導光板３１の出射光を良好に拡散、集束して液晶パネル２に出射させ、該液晶パネル２に安定した画像表示を行わせることができる。
【００４８】  また、一の短辺５１ａを上として使用した場合、光学シート７の支持負荷は、凸部５２による挟持部分と支持ピン５１ｃによる支持部分とに分散するから、支持ピン５１ｃに挿入する孔７ａの周辺が支持負荷の集中により破損する虞を緩和することができる。また、支持ピン５１ｃからの抜け落ちによる光学シート７の脱落を防止し、安定した支持状態を保つことが可能である。
【００４９】  更に、光学シート７が挟持されるのは凸部５２に対応する中央部のみであるので、光学シート７の短手方向の膨張を許容することができる。
【００５０】  今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００５１】１  表示装置２  液晶パネル（表示パネル）３１  導光板５  パネルシャーシ（パネル支持部）５０、５１  シート支持部５０ａ、５１ａ  一の短辺（一辺）５０ｂ  他の短辺（対辺）５０ｃ、５１ｂ  長辺（交差辺）５２  凸部７  光学シート
【図１】
2016059721.tif 000003
【図２】
2016059721.tif 000004
【図３】
2016059721.tif 000005
【図４】
2016059721.tif 000006
【手続補正書】
【提出日】平成29年4月12日(2017.4.12)
【手続補正１】
【補正対象書類名】明細書
【補正対象項目名】００３８
【補正方法】変更
【補正の内容】
【００３８】
また、一の短辺５０ａを上として使用した場合、光学シート７の支持負荷は、一の短辺５０ａによる挟持部分と支持ピン５０ｄによる支持部分とに分散するから、支持ピン５０ｄが挿入された孔７ａの周辺が支持負荷の集中により破損する虞を緩和することができる。また、支持ピン５０ｄの孔７ａからの抜け落ちによる光学シート７の脱落を防止し、安定した支持状態を保つことが可能である。
【手続補正２】
【補正対象書類名】明細書
【補正対象項目名】００４０
【補正方法】変更
【補正の内容】
【００４０】
シート支持部５１は、二つの長辺及び二つの短辺からなる。シート支持部５１の長辺５１ｂに光学シート側に突出する七本の支持ピン５１ｃが設けられている。光学シート７は、実施の形態１と同様に孔７ａに長辺５１ｂに設けられた支持ピン５１ｃが挿入されることによりシート支持部５１に支持される。
【手続補正３】
【補正対象書類名】明細書
【補正対象項目名】００４１
【補正方法】変更
【補正の内容】
【００４１】
一方、短辺５１ａには、長手方向の中央にて、光学シート側に突出する凸部５２が設けられている。凸部５２は、短辺５１ａ以外の辺と比較して液晶パネル２の近くに位置し、光学シート７の凸部５２に対応する部分は、実施の形態１と同様に液晶パネル２及び凸部５２により挟持される。
【手続補正４】
【補正対象書類名】明細書
【補正対象項目名】００４２
【補正方法】変更
【補正の内容】
【００４２】
実施の形態２に係るパネルシャーシ５を用いれば、表示装置１は、シート支持部５１の長辺５１ｂを上として使用でき、また、一の短辺５１ａを上として使用することができる。
【手続補正５】
【補正対象書類名】明細書
【補正対象項目名】００４８
【補正方法】変更
【補正の内容】
【００４８】
また、一の短辺５１ａを上として使用した場合、光学シート７の支持負荷は、凸部５２による挟持部分と支持ピン５１ｃによる支持部分とに分散するから、支持ピン５１ｃが挿入された孔７ａの周辺が支持負荷の集中により破損する虞を緩和することができる。また、支持ピン５１ｃの孔７ａからの抜け落ちによる光学シート７の脱落を防止し、安定した支持状態を保つことが可能である。
【手続補正６】
【補正対象書類名】特許請求の範囲
【補正対象項目名】全文
【補正方法】変更
【補正の内容】
【特許請求の範囲】
【請求項１】
前面に画像を表示する表示パネルと、
前記表示パネルの背面に、上面が対向するように配置された導光板と、
前記表示パネルと前記導光板との間に配置され、互いに平行な第１辺および第２辺と、前記第１辺および第２辺に直交する第３辺および第４辺とを有する光学シートと、
前記導光板の前記上面に接する第１面および前記表示パネルの前記背面の周縁を支持する第２面を有する矩形のフレームを含むパネル支持部と、
前記パネル支持部の前記フレームから、前記導光板と前記光学シートとの間に突設されたシート支持部とを備え、
前記シート支持部は、前記光学シートの前記第１辺の少なくとも一部を前記表示パネルとで挟持する凸部を有している、表示装置。
【請求項２】
前記光学シートの前記第２辺は、前記表示パネルとの間に間隙を形成するように、前記シート支持部の上面で支持されている、請求項１に記載の表示装置。
【請求項３】
前記光学シートの前記第３辺および前記第４辺は、前記表示パネルとの間に間隙を形成するように、前記シート支持部の上面で支持されている、請求項１または２に記載の表示装置。
【請求項４】
前記シート支持部の前記凸部は、前記光学シートの前記第１辺の中央部だけを前記表示パネルとで挟持するように設けられている、請求項１から３のいずれかに記載の表示装置。
【請求項５】
前記シート支持部の前記凸部は、前記光学シートの前記第１辺の全体を前記表示パネルとで挟持するように設けられている、請求項１から３のいずれかに記載の表示装置。
【請求項６】
前記光学シートは、前記第３辺に沿って設けられた複数の孔を有し、前記複数の孔は、円孔と、前記円孔の両側に配置された複数の長孔とを有し、
前記シート支持部は、前記光学シートの前記複数の孔に挿入される複数のピンをさらに有する、請求項１から５のいずれかに記載の表示装置。
【請求項７】
底板と、前記底板の辺から垂直に立ち上がる複数の側板とを有する筐体と、
前記導光板の側面に対向するように、前記複数の側板の１つに固定された光源と
をさらに有する、請求項１から６のいずれかに記載の表示装置。
【請求項８】
前記パネル支持部は、前記フレームの外周縁から垂直に立ち上がる複数の側板をさらに有し、
前記パネル支持部の前記複数の側板は、前記筐体の前記複数の側板の外側に配置されており、
前記導光板は、前記フレームの前記第１面と前記底板とに挟持されている、請求項７に記載の表示装置。
【請求項９】
前記光源は、前記筐体の前記複数の側板の内の、前記光学シートの前記第４辺に最も近い１つに固定されている、請求項７または８に記載の表示装置。
【請求項１０】
前記第１辺および前記第２辺は、前記第３辺および前記第４辺よりも短い、請求項１から９のいずれかに記載の表示装置。
【国際調査報告】
2016059721.tif 000007
2016059721.tif 000008
2016059721.tif 000009
2016059721.tif 000010